(57)【要約】【課題】部品同士をスライドさせて取り付けた状態に安定して保持することが可能な遊技機を提供する。【解決手段】本発明によれば、第１ケース６０の後面壁部６４に係止爪６９を形成するための門形スリット６９Ａの周囲から補強壁６９Ｈが突出したので、係止爪６９を含む後面壁部６４全体が前面壁部７１から離れるように変形することが防がれる。これにより、後面壁部６４の係止爪６９と第２ケース７０の縁部との係止状態が確実に保持され、第１ケース６０と第２ケース７０との取り付け状態が安定する。即ち、本実施形態の構成によれば部品同士（第１ケース６０と第２ケース７０）をスライドさせて取り付けた状態に安定して保持することができる。【選択図】図１２
2007167106.tif 000002
【特許請求の範囲】
【請求項１】
遊技機の一部をそれぞれ構成し、互いに別部品になった第１部材及び第２部材と、
前記第１部材と前記第２部材との間に形成されて所定方向に移動可能に相互に係合し、その係合した状態で移動可能な係合可動範囲の始端位置で前記第１部材と前記第２部材とを離脱可能とし、前記係合可動範囲の終端位置で前記第１部材と前記第２部材とを互いに位置決めする可動係合機構と、
前記第１部材に設けられた板状壁部と、
その板状壁部に形成された門形スリットの内側で片持ち梁状をなしかつその自由端に前記第２部材に向かって突出した係止突起を有した係止爪と、
前記第１部材のうち前記門形スリットの周囲から略垂直に突出した補強壁とを備え、
前記第２部材が前記第１部材に係合して移動する間に、前記第２部材に前記係止突起が押し付けられて前記係止爪が撓められ、前記第２部材が前記係合可動範囲の終端位置に達したときに前記係止爪が復帰して前記係止突起が前記第２部材の縁部に係止することを特徴とする遊技機。
【請求項２】
前記補強壁は、前記門形スリットに対応した門形形状をなしたことを特徴とする請求項１に記載の遊技機。
【請求項３】
前記可動係合機構は、前記第１部材又は前記第２部材から突出形成され、前記第１部材と前記第２部材とを、前記係合可動範囲の終端位置で互いに位置決めするストッパ壁を備えたことを特徴とする請求項１又は２に記載の遊技機。
【請求項４】
前記第１部材と前記第２部材との一方に係合孔を形成すると共に、他方から前記一方に向かって突出しかつ先端から側方に係合片を張り出してなる突入係合部を形成して、それら係合孔と突入係合部とから前記可動係合機構を構成し、
前記第２部材が前記係合可動範囲の始端位置にあるときに、前記突入係合部が前記係合孔に挿抜され、前記第２部材が前記係合可動範囲の終端位置に向かう途中で、前記係合片が前記係合孔の開口縁に係合することを特徴とする請求項１乃至３の何れかに記載の遊技機。
【請求項５】
前記係合孔を非対称にして複数設けると共に、前記係合孔に対応して前記突入係合部を非対称にして複数設けたことを特徴とする請求項４に記載の遊技機。
【請求項６】
前記係止爪は、前記第１部材に前記第２部材が取り付けられた状態で押圧操作可能な位置に配置されたことを特徴とする請求項１乃至５の何れかに記載の遊技機。
【請求項７】
前記第１部材は、前記遊技機の後面側に配置され、その第１部材の後面側に前記第２部材が配置され、前記補強壁は、前記第１部材又は前記第２部材以外の部品に突き合わされたことを特徴とする請求項１乃至６の何れかに記載の遊技機。
【請求項８】
前記第１部材及び前記第２部材は、共に電気部品を収容したケースであり、
前記補強壁は、前記電気部品に突き合わされたことを特徴とする請求項７に記載の遊技機。
【請求項９】
前記第１部材及び前記第２部材は、共に透明な樹脂で構成されたことを特徴とする請求項１乃至８の何れかに記載の遊技機。
【請求項１０】
遊技機の後面側に固定されて電気部品を収容した第１ケースと、その第１ケースの後面側に取り付けられて、別の電気部品を収容した第２ケースとを備えた遊技機において、
前記第１ケースの後面壁部に複数の係合孔を形成すると共に、前記第２ケースの前面壁部に複数のフックを突出形成して、各前記フックを各前記係合孔にそれぞれ挿入してから前記第２ケースを下方に移動することで前記フックが前記係合孔の縁部に係合するように構成し、
前記後面壁部に形成された門形スリットの内側で片持ち梁状をなしかつその自由端に前記前面壁部側に向かって突出した係止突起を有した係止爪と、
前記後面壁部のうち前記門形スリットの周囲から突出し、前記門形スリットに対応した門形形状をなし、前記第１ケースに収容された前記電気部品に突き合わされた補強壁とを備え、
前記フックを前記係合孔に挿入して移動する過程で、前記第２ケースの前面壁部に前記係止突起が押し付けられて前記係止爪が撓められ、前記フックが前記係合孔の縁部に係合したときに前記係止爪が復帰して前記係止突起が前記第２ケースの縁部に係止することを特徴とする遊技機。
【請求項１１】
前記係合孔の左右方向の幅を、上側部分より下側部分で狭くしたことを特徴とする請求項１０に記載の遊技機。
【請求項１２】
前記第１ケースの後面壁部のうち前記複数の係合孔より下方から突出して、前記第２ケースの下端部に下側と左右両側とから宛がわれ、前記第２ケースを前記下端位置に保持する下端保持壁が設けられたことを特徴とする請求項１０又は１１に記載の遊技機。
【請求項１３】
左右方向の両端部から前方に１対の脚部を張り出して備え、前記第２ケースの後面側を覆いかつ前記第２ケースを跨いで前記脚部が前記第１ケースに固定され、内部に電気部品を収容した第３ケースを備えたことを特徴とする請求項１０乃至１２の何れかに記載の遊技機。
【請求項１４】
左右方向の一方の前記脚部の先端と前記第１ケースとの間には、前記第３ケースを前記第１ケースに対して回動可能に結合するヒンジ結合部が備えられ、その回動を規制するように左右方向の他方の前記脚部が前記第１ケースに固定されたことを特徴とする請求項１３に記載の遊技機。
【発明の詳細な説明】
【技術分野】
【０００１】
本発明は、遊技機に関する。
【背景技術】
【０００２】
図１４に示す従来のパチンコ遊技機では、第１ケースに対して第２ケースを着脱可能に取り付けるために、第１ケースにおける板状壁１Ａに１対の平行なスリット２，２を形成して、それらスリット２，２の間に片持ち梁状の係止爪３を備えている。そして、第１ケース１に第２ケース４をスライド係合させてから、第２ケース４の外縁部４Ａに係止爪３を係止して第１ケース１に第２ケース４を保持している。なお、係止爪３は、第１ケース１のうち板状壁部１Ａ，１Ｂ同士が直交して比較的強度が高くなった外縁部４Ａに配置されている（例えば、特許文献１参照）。
【特許文献１】特開２００１−２３２０２２号公報（段落［００２９］、第４図）
【発明の開示】
【発明が解決しようとする課題】
【０００３】
ところで、遊技機の機種によっては、第１ケース１の板状壁部１Ａにおける中央部分に第２ケース４の外縁部４Ａが位置する場合がある。この場合は、第１ケース１の板状壁部１Ａに門形スリット５を形成して、それら門形スリットの内側に片持ち梁状の係止爪を設ければよい。しかしながら、第１ケース１のうち板状壁部１Ａ，１Ｂ同士が直交する外縁寄り部分に比べて、外縁部から離れた中央部は変形し易くなる。このため、板状壁部１Ａ自体が撓んで係止爪の第２ケース４に対する係止力が弱くなり、第２ケース４の第１ケース１に対する取り付け状態が不安定になり得る。
【０００４】
本発明は、上記事情に鑑みてなされたもので、着脱可能な部品同士を取り付けた状態に安定して保持することが可能な遊技機の提供を目的とする。
【課題を解決するための手段】
【０００５】
上記目的を達成するためになされた請求項１の発明に係る遊技機は、遊技機の一部をそれぞれ構成し、互いに別部品になった第１部材及び第２部材と、第１部材と第２部材との間に形成されて所定方向に移動可能に相互に係合し、その係合した状態で移動可能な係合可動範囲の始端位置で第１部材と第２部材とを離脱可能とし、係合可動範囲の終端位置で第１部材と第２部材とを互いに位置決めする可動係合機構と、第１部材に設けられた板状壁部と、その板状壁部に形成された門形スリットの内側で片持ち梁状をなしかつその自由端に第２部材に向かって突出した係止突起を有した係止爪と、第１部材のうち門形スリットの周囲から略垂直に突出した補強壁とを備え、第２部材が第１部材に係合して移動する間に、第２部材に係止突起が押し付けられて係止爪が撓められ、第２部材が係合可動範囲の終端位置に達したときに係止爪が復帰して係止突起が第２部材の縁部に係止するところに特徴を有する。
【０００６】
請求項２の発明は、請求項１に記載の遊技機において、補強壁は、門形スリットに対応した門形形状をなしたところに特徴を有する。
【０００７】
請求項３の発明は、請求項１又は２に記載の遊技機において、可動係合機構は、第１部材又は第２部材から突出形成され、第１部材と第２部材とを、係合可動範囲の終端位置で互いに位置決めするストッパ壁を備えたところに特徴を有する。
【０００８】
請求項４の発明は、請求項１乃至３の何れかに記載の遊技機において、第１部材と第２部材との一方に係合孔を形成すると共に、他方から一方に向かって突出しかつ先端から側方に係合片を張り出してなる突入係合部を形成して、それら係合孔と突入係合部とから可動係合機構を構成し、第２部材が係合可動範囲の始端位置にあるときに、突入係合部が係合孔に挿抜され、第２部材が係合可動範囲の終端位置に向かう途中で、係合片が係合孔の開口縁に係合するところに特徴を有する。
【０００９】
請求項５の発明は、請求項４に記載の遊技機において、係合孔を非対称にして複数設けると共に、係合孔に対応して突入係合部を非対称にして複数設けたところに特徴を有する。
【００１０】
請求項６の発明は、請求項１乃至５の何れかに記載の遊技機において、係止爪は、第１部材に第２部材が取り付けられた状態で押圧操作可能な位置に配置されたところに特徴を有する。
【００１１】
請求項７の発明は、請求項１乃至６の何れかに記載の遊技機において、第１部材は、遊技機の後面側に配置され、その第１部材の後面側に第２部材が配置され、補強壁は、第１部材又は第２部材以外の部品に突き合わされたところに特徴を有する。
【００１２】
請求項８の発明は、請求項７に記載の遊技機において、第１部材及び第２部材は、共に電気部品を収容したケースであり、補強壁は、電気部品に突き合わされたところに特徴を有する。
【００１３】
請求項９の発明は、請求項１乃至８の何れかに記載の遊技機において、第１部材及び第２部材は、共に透明な樹脂で構成されたところに特徴を有する。
【００１４】
請求項１０の発明に係る遊技機は、遊技機の後面側に固定されて電気部品を収容した第１ケースと、その第１ケースの後面側に取り付けられて、別の電気部品を収容した第２ケースとを備えた遊技機において、第１ケースの後面壁部に複数の係合孔を形成すると共に、第２ケースの前面壁部に複数のフックを突出形成して、各フックを各係合孔にそれぞれ挿入してから第２ケースを下方に移動することでフックが係合孔の縁部に係合するように構成し、後面壁部に形成された門形スリットの内側で片持ち梁状をなしかつその自由端に前面壁部側に向かって突出した係止突起を有した係止爪と、後面壁部のうち門形スリットの周囲から突出し、門形スリットに対応した門形形状をなし、第１ケースに収容された電気部品に突き合わされた補強壁とを備え、フックを係合孔に挿入して移動する過程で、第２ケースの前面壁部に係止突起が押し付けられて係止爪が撓められ、フックが係合孔の縁部に係合したときに係止爪が復帰して係止突起が第２ケースの縁部に係止するところに特徴を有する。
【００１５】
請求項１１の発明は、請求項１０に記載の遊技機において、係合孔の左右方向の幅を、上側部分より下側部分で狭くしたところに特徴を有する。
【００１６】
請求項１２の発明は、請求項１０又は１１に記載の遊技機において、第１ケースの後面壁部のうち複数の係合孔より下方から突出して、第２ケースの下端部に下側と左右両側とから宛がわれ、第２ケースを下端位置に保持する下端保持壁が設けられたところに特徴を有する。
【００１７】
請求項１３の発明は、請求項１０乃至１２の何れかに記載の遊技機において、左右方向の両端部から前方に１対の脚部を張り出して備え、第２ケースの後面側を覆いかつ第２ケースを跨いで脚部が第１ケースに固定され、内部に電気部品を収容した第３ケースを備えたところに特徴を有する。
【００１８】
請求項１４の発明は、請求項１３に記載の遊技機において、左右方向の一方の脚部の先端と第１ケースとの間には、第３ケースを第１ケースに対して回動可能に結合するヒンジ結合部が備えられ、その回動を規制するように左右方向の他方の脚部が第１ケースに固定されたところに特徴を有する。
【発明の効果】
【００１９】
［請求項１及び２の発明］
請求項１の構成によれば、第２部材を第１部材に取り付けるには、第２部材を第１部材に接合させて所定の方向に移動させる。すると、可動係合機構が係合し、第２部材を移動させる方向と直交する方向で第２部材が第１部材に離脱不能に保持される。また、第２部材を移動させる際に、第１部材に設けられた板状壁部と第２部材とがすれ違う。このとき、板状壁部に備えた片持ち梁状の係止爪における係止突起が第２部材に押されて撓められ、第２部材が係合可動範囲の終端位置に達したときに係止爪が復帰して係止突起が第２部材の縁部に係止する。これにより、第２部材が係合可動範囲の終端位置に保持される。ここで、本発明では板状壁部に係止爪を形成するための門形スリットの周囲から補強壁が突出しているので、係止爪を含む板状壁部全体が第２部材から離れるように変形することが防がれる。これにより、板状壁部の係止爪と第２部材の縁部との係止状態が確実に保持され、第１部材と第２部材との取り付け状態が安定する。即ち、本発明によれば、着脱可能な部品同士（第１部材と第２部材）を取り付けた状態に安定して保持することができる。
【００２０】
ここで、補強壁は、門形スリットを構成する３辺のうち少なくとも１辺に沿った形状、或いは、門形スリットの１辺と交差するように延びた形状、さらには、請求項２の構成のように補強壁を門形スリットに対応した門形形状としてもよい。そして、請求項２の構成によれば、係止爪の周り全体をバランスよく補強することができる。
【００２１】
［請求項３の発明］
請求項３の構成によれば、第１部材又は第２部材から突出したストッパ壁に、第１部材と第２部材のうちストッパ部材を設けいない方が当接して第１部材と第２部材とが終端位置に互いに位置決めされる。そして、第２部材がストッパ壁と係止爪の係止突起とに挟まれて、第２部材が移動方向で固定される。さらに、ストッパ壁が板状壁部を補強する役割も果たす。
【００２２】
［請求項４の発明］
請求項４の構成によれば、第２部材を第１部材に取り付けるには、第２部材を第１部材に接合させて、係合孔に突入係合部を挿入する。そして、第２部材を第１部材に対して所定の方向に向けて移動させると、係合可動範囲の始端位置から終端位置に向かう途中で、係合片が係合孔の開口縁に係合して、突入係合部が係合孔に抜け止めされる。
【００２３】
［請求項５の発明］
請求項５の構成によれば、係合孔を非対称にして複数設けると共に、係合孔に対応して突入係合部を非対称にして複数設けたので、第１部材に対して第２部材の向きを間違えて取り付けることが防がれる。
【００２４】
［請求項６の発明］
請求項６の構成によれば、第１部材に第２部材が取り付けられた状態で係止爪を押圧操作して、第２部材を第１部材から容易に取り外すことができる。
【００２５】
［請求項７の発明］
請求項７の構成によれば、補強壁は、第１部材又は第２部材以外の部品に突き合わされているので、板状壁部の変形を確実に防ぐことができる。
【００２６】
［請求項８及び９の発明］
請求項８の構成によれば、第１部材及び第２部材としてのケースに電気部品を収容したので、電気部品に直接触れずに組み付け作業を行うことができる。また、補強壁を電気部品に突き合わせたことにより、板状壁部の変形を確実に防ぐことができる。さらに、請求項９の構成のように、第１部材及び第２部材としてのケースを透明な樹脂で構成すれば、電気部品をケースの外部から視認することができる。
【００２７】
［請求項１０の発明］
請求項１０の構成によれば、第２ケースを第１ケースに取り付けるには、第１ケースの後面壁部に複数形成された係合孔に、第２ケースの前面壁部に複数形成されたフックを挿入して、第２ケースを下方に移動させる。すると、フックが係合孔の縁部に係合して、移動方向と直交する方向で第２ケースが第１ケースに離脱不能に保持される。そして、フックを係合孔に挿入して第２ケースを下方に移動させる過程で、第１ケースに備えた係止爪の係止突起が、第２ケースの前面壁部に押し付けられて係止爪が撓められ、フックが係合孔の縁部に係合したときに係止爪が復帰して係止突起が第２ケースの縁部に係止する。これにより、第２ケースが可動範囲の終端位置に保持される。ここで、本発明では後面壁部に係止爪を形成するための門形スリットの周囲から補強壁が突出しているので、係止爪を含む後面壁部全体が前面壁部から離れるように変形することが防がれる。これにより、後面壁部の係止爪と前面壁部の縁部との係止状態が確実に保持され、第１ケースと第２ケースとの取り付け状態が安定する。即ち、本発明によれば、着脱可能な部品同士（第１部材と第２部材）を取り付けた状態に安定して保持することができる。
【００２８】
［請求項１１の発明］
請求項１１の構成によれば、係合孔の左右方向の幅を、上側部分より下側部分で狭くしたので、第２ケースを下方に移動させてフックを係合孔に係合させたときに、第１ケースに対して第２ケースが左右方向で位置決めされる。
【００２９】
［請求項１２の発明］
請求項１２の構成によれば、第１ケースの後面壁部に形成された下端保持壁が、第２ケースに対して下側と左右両側とから宛がわれて、第２ケースの取り付け状態が安定する。
【００３０】
［請求項１３の発明］
請求項１３の構成によれば、第２ケースが第１ケースと第３ケースとに挟まれて安定する。
【００３１】
［請求項１４の発明］
請求項１４の構成によれば、第３ケースを第１ケースに取り付けるには第１ケースに第２ケースが取り付けられた状態で、第３ケースにおける左右方向の一方の脚部の先端と第１ケースとを結合してヒンジ結合部とし、そのヒンジ結合部を中心に第３ケースを回動して、第３ケースにおける左右方向の他方の脚部を第１ケースに固定すればよい。
【発明を実施するための最良の形態】
【００３２】
以下、本発明の遊技機としてのパチンコ遊技機１０に係る一実施形態を、図１〜図１３に基づいて説明する。図１に示すパチンコ遊技機１０は、誘導レール１２に囲まれた遊技領域Ｒ１を有し、その遊技領域Ｒ１内に液晶表示部３２を備えている。誘導レール１２は帯状の板金を略円形に湾曲させてなり、遊技板１１の前面から起立している。また、液晶表示部３２は、遊技板１１に貫通形成した略矩形の表示窓１１Ｗに、遊技板１１の後面側から表示装置３０の液晶表示画面３０Ｇを宛がって構成されている。なお、液晶表示画面３０Ｇのサイズは、例えば１５インチになっている。
【００３３】
液晶表示部３２は、遊技領域Ｒ１のうち上寄りかつ向かって右側寄りに配置され、主にその液晶表示部３２の上側、左側、下側に遊技球が流下可能なスペースが確保されている。液晶表示部３２の下側スペースには、その左右方向の中央に、第１及び第２の始動入賞口１４Ａ，１４Ｂ、大入賞口１５及びアウト口１６が、上から順に間隔を開けて並べて設けられ、左右両側部には、誘導レール１２に沿って一般入賞口２０，２１及びサイドランプ２２，２２がそれぞれ設けられている。また、液晶表示部３２の左側スペースには、始動ゲート１８と風車１９とが上下に並べて設けられている。さらに、風車１９の下方には、サイドランプ２２と一体に、普通図柄表示部１８Ｈが設けられている。これら各種入賞口１４Ａ，１４Ｂ，１５，２０，２１，表示装置３０等の役物以外に、遊技領域Ｒ１には、遊技球と当接して流下方向を様々に変化させることが可能な障害釘が分散配置されている。
【００３４】
遊技領域Ｒ１は、パチンコ遊技機１０の前面に備えたガラス扉９５によって覆われている。ガラス扉９５には、略円形の窓部９５Ｗを備え、ここに図示しないガラス板が嵌め込まれている。そして、このガラス板越しに遊技領域Ｒ１を視認することができる。また、パチンコ遊技機１０の前面のうち右下角部には、発射操作ノブ５０が備えられ、この発射操作ノブ５０を操作することで図示しない発射装置から遊技球が発射されて、遊技領域Ｒ１の上方部分から下方へと遊技球が流下する。
【００３５】
上記した役物の詳細は、以下のようである。一般入賞口２０，２１は、所謂、ポケット構造をなし、遊技球が丁度１つ入球可能な大きさで上方に開口している。一般入賞口２０，２１へ入球すると、その遊技球は遊技板１１の裏側に取り込まれ、代わりに所定数の賞球がパチンコ遊技機１０の前面に備えた上皿２６に払い出される。
【００３６】
始動ゲート１８は、遊技球が潜って通過可能な門形構造をなし、通過した遊技球は始動ゲート１８に内蔵された普通図柄始動スイッチによって検出される。この検出信号に基づいて、普通図柄表示部１８Ｈにおいて図柄が変動表示される。具体的には、「０」〜「９」までの数字からなる数字図柄が所定期間に亘って変動表示された後、所定の数字図柄が停止表示される。
【００３７】
第１及び第２の始動入賞口１４Ａ，１４Ｂは、上下方向に並んで配置されている。各始動入賞口１４Ａ，１４Ｂは、共に遊技板１１から突出した部材の上面に開口を備えた、所謂、ポケット構造をなしている。そして、各始動入賞口１４Ａ，１４Ｂに入った遊技球は、遊技板１１に設けた図示しない貫通孔を通って、遊技板１１の裏側に回収される。
【００３８】
上側に配置された第１の始動入賞口１４Ａは、遊技球が１つだけ入る開口幅を有している。一方、下側に配置された第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には起立状態になっており、両可動翼片１４Ｃ，１４Ｃに挟まれた第２の始動入賞口１４Ｂの開口幅は、遊技球が１つだけ入る大きさとなっている。また、第２の始動入賞口１４Ｂの上方空間は、常には、第１の始動入賞口１４Ａを構成する部材と可動翼片１４Ｃ，１４Ｃとで囲まれて、遊技球が入らないようになっている。そして、普通図柄表示部１８Ｈで停止表示された数字図柄が奇数になると、遊技板１１の裏に設けたソレノイドが駆動されて、可動翼片１４Ｃ，１４Ｃが所定期間（例えば、０．４秒間）に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる。
【００３９】
各始動入賞口１４Ａ，１４Ｂに遊技球が入賞すると、各始動入賞口１４Ａ，１４Ｂ内に設けた図示しない始動口センサが遊技球を検出し、その検出信号に基づいて、例えば、４個の遊技球が上皿２６に払い出されると共に、表示装置３０の液晶表示部３２において図柄が変動表示される。具体的には、液晶表示部３２には、通常、３つの左、中、右の特別図柄３２Ａ，３２Ｂ，３２Ｃが横並びに表示されている。これら各特別図柄３２Ａ，３２Ｂ，３２Ｃは、例えば、「０」〜「１１」の数字を表記した複数種類のもので構成されており、通常は、各特別図柄３２Ａ，３２Ｂ，３２Ｃごと、所定の種類のものが停止表示されている。そして、始動入賞口１４Ａ，１４Ｂに遊技球が入賞したときに、これら３つの特別図柄３２Ａ，３２Ｂ，３２Ｃが、上下方向にスクロール表示され、所定時間後に、例えば、左、中、右の順で各特別図柄３２Ａ，３２Ｂ，３２Ｃが停止表示される。このとき、例えば、全ての特別図柄３２Ａ，３２Ｂ，３２Ｃが同じ図柄、即ち、ぞろ目になった場合に、遊技が「大当たり状態」になる。なお、液晶表示部３２において特別図柄３２Ａ，３２Ｂ，３２Ｃが変動表示又は「大当たり状態」の最中に始動入賞口１４Ａ，１４Ｂに入賞した場合、その入賞球は最大で４個まで保留記憶され、特別図柄３２Ａ，３２Ｂ，３２Ｃが停止表示又は「大当たり状態」が終了すると、その保留記憶に基づいて再び、特別図柄３２Ａ，３２Ｂ，３２Ｃが変動表示される。
【００４０】
大入賞口１５は、横長矩形に形成されて、常には、可動扉１５Ｔにて閉塞されている。パチンコ遊技機１０が「大当たり状態」になると、遊技板１１の裏に設けた図示しないソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能となる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００４１】
大入賞口１５の内部には、計数入賞口が設けられている。計数入賞口内には、カウントセンサが設けられており、遊技球の入賞を検出すると入賞球数をカウントし、入賞球が前記したように計１０個に達したか否かをチェックする。なお、大入賞口１５に遊技球が入賞すると、例えば、１５個の遊技球が上皿２６に払い出される。
【００４２】
図２に示すように、パチンコ遊技機１０は、遊技機本体８１と、その遊技機本体８１が着脱可能に組み付けられる遊技枠体８０とから構成されている。
【００４３】
遊技枠体８０は、外枠８２に前面枠９０を第１ヒンジ機構８０Ｈ（図１参照）にて連結してなる。外枠８２は、４つの木製の長板８３を縦長矩形状に接合して構成されている。この外枠８２の下端部には、１対のスピーカ１３Ｂ，１３Ｂが備えられている。一方、前面枠９０は、例えば合成樹脂で構成され、遊技板１１に対応した開口部９０Ｗを備えている。また、前面枠９０のうち開口部９０Ｗの下側は、前後方向に閉塞されて部品が取り付け可能となっている。第１ヒンジ機構８０Ｈは、図１に示すように、遊技枠体８０のうち一方の側部における上端部と下端部とに配置されている。これら第１ヒンジ機構８０Ｈは、前面枠９０を遊技枠体８０に対して上方にスライドすることで、図２に示すように前面枠９０側のヒンジ構成部９０Ｈと、外枠８２側のヒンジ構成部８２Ｈとに分かれ、これにより外枠８２から前面枠９０を離脱することができる。
【００４４】
前面枠９０の後面には、開口部９０Ｗを取り囲むように囲壁９０Ｖが形成され、その囲壁９０Ｖの内側に遊技板１１が嵌合して固定されている。また、機構板８４は、前面枠９０のうち第１ヒンジ機構８０Ｈを備えた側の側部に第２ヒンジ機構（図示せず）にて連結されている。
【００４５】
前面枠９０の前面には、前記したガラス扉９５が重ねて設けられている。ガラス扉９５は、前面枠９０のうち第１ヒンジ機構８０Ｈと同じ側の側部に備えた第３ヒンジ機構９５Ｈ（図１参照）にて連結されている。また、ガラス扉９５の前面のうち窓部９５Ｗより上側には、左右に１対のスピーカ１３Ａ，１３Ａが設けられている。さらに、ガラス扉９５のうち窓部９５Ｗの下端部付近には球抜きボタン２３が設けられている。
【００４６】
図１に示すように、ガラス扉９５のうち窓部９５Ｗの下方には、上皿２６が設けられている。上皿２６は、前方に向かって膨出しており、その上皿２６の右側には、球貸し操作ボタン２４と球貸し状態表示モニター２５とが並べて配置されている。
【００４７】
前面枠９０のうちガラス扉９５の下方には、皿扉２９が取り付けられている。この皿扉２９の前面には、その中央に下皿２８が設けられている。下皿２８は、パチンコ遊技機１０の前方に膨出してここに遊技球が貯留可能になっている。そして、上記した球抜きボタン２３を押圧操作すると、上皿２６に貯留された遊技球が下皿２８に排出される。下皿２８には、ファール球等も貯留される。皿扉２９のうち下皿２８の左側方には、遊技スイッチ５３が設けられている。この遊技スイッチ５３を押圧すると、液晶表示部３２で変動表示されている画像、例えば、キャラクタ画像を、遊技者の任意のタイミングで停止させることができる。また、下皿２８の右側方には、球排出ボタン５２が設けられている。この球排出ボタン５２を押圧すると、下皿２８に貯留された遊技球をパチンコ遊技機１０の外部に排出することができる。
【００４８】
皿扉２９は、第１ヒンジ機構８０Ｈと同じ側の側部に備えた第４ヒンジ機構２９Ｈによって前面枠９０に回動可能に連結されている。そして、前面枠９０のうち、第４ヒンジ機構２９Ｈから前面枠９０の横方向における途中部分までが皿扉２９に覆われ、残りの部分が前面枠９０の下側一角部に開閉不可能に固定された前記した角部カバー８６によって覆われている。角部カバー８６の前面に前記した発射操作ノブ５０が備えられている。
【００４９】
遊技機本体８１は、図２に示すように、遊技板アッシ１１Ａと機構板アッシ８４Ａとから構成されている。機構板アッシ８４Ａは、機構板８４に遊技球タンク５５，払出装置５６等を組み付けてなる。機構板８４は、全体として縦長の矩形状をなしかつ遊技板アッシ１１Ａに後方から重ねて配置される。機構板８４のうち遊技板１１との対向部分には、遊技板アッシ１１Ａにおける後方突出部分を受容するための矩形窓８４Ｗが貫通形成されている。この矩形窓８４Ｗは、遊技板アッシ１１Ａの後方突出部分を収容可能な箱形カバー８４Ｃによって閉塞されている。
【００５０】
機構板アッシ８４Ａの後面のうち矩形窓８４Ｗの上側には、遊技球を貯留する遊技球タンク５５が組み付けられている。また、矩形窓８４Ｗの一側方には払出装置５６が設けられ、さらに、矩形窓８４Ｗの下方には払出制御装置５７と電源装置５８とが設けられている。なお、払出装置５６は、遊技球タンク５５から遊技球誘導レール５５Ｒを通して遊技球を受け取り、払出制御装置５７からの指令に応じて遊技球を払い出す。
【００５１】
遊技板アッシ１１Ａは、遊技板１１の前面側に上記した始動ゲート１８、風車１９等の各種役物を組み付けると共に、後面側に各電気部品を組み付けてなる。これら各電気部品は、第１〜第３のケース６０，７０，７５に収容されてユニット化され、表示窓１１Ｗの後方に重ねて組み付けられている。また、遊技板１１の後面のうち表示窓１１Ｗの下方には大入賞口ユニット５１Ａが取り付けられ、その大入賞口ユニット５１Ａの後面にメイン制御基板を収容した第４ケース５１Ｂが取り付けられている。
【００５２】
第１ケース６０は、本発明に係る「第１部材」及び「第１ケース」に相当し、電気部品としての表示装置３０（図１１参照）を収容している。詳細には、図６に示すように第１ケース６０は、枠形ベース部６１とケース本体６３とを組み付けてなる。そして、枠形ベース部６１は１５インチ画面より一回り大きな矩形枠状をなし、内側に透明なアクリル板６２が嵌め込まれている。また、枠形ベース部６１の外縁部からは、後方に向けて囲壁６１Ａが突出している。
【００５３】
ケース本体６３は、矩形の後面壁部６４（本発明に係る「板状壁部」及び「後面壁部」に相当する）の外縁部から前方に向けて囲壁６３Ａを突出して備えている。そして、表示装置３０を後面側から囲壁６３Ａ内に嵌合し、その囲壁６３Ａの外側にケース本体６３の囲壁６３Ａが嵌合されて、アクリル板６２が表示装置３０の液晶表示画面３０Ｇに前方から宛がわれている（図１１参照）。また、図４に示すように両囲壁６１Ａ，６３Ａの左右両辺には、上下の両端部の各２箇所を外側に膨出させて嵌合膨出部６１Ｂ，６３Ｂが形成されている。そして、枠形ベース部６１の囲壁６１Ａにおける前端部を閉塞した壁部から支柱６１Ｃが起立し、ケース本体６３の嵌合膨出部６３Ｂにおける後端部を閉塞した壁部の貫通孔に螺子を通して支柱６１Ｃに螺合することで、枠形ベース部６１がケース本体６３に固定されている。
【００５４】
図６に示すように枠形ベース部６１における左右の外縁部からは、前方に向かって脚部６１Ｄが突出している。また、遊技板１１の表示窓１１Ｗには、図４に示した装飾枠１１Ｓが嵌合されて遊技板１１の後面側に突出している。そして、枠形ベース部６１の前面を装飾枠１１Ｓの後面に突き合わせた状態で脚部６１Ｄ，６１Ｄの先端が遊技板１１の後面に螺子止めされている。これにより、表示窓１１Ｗを介して液晶表示画面３０Ｇが遊技板１１の前方に臨んでいる。
【００５５】
図６に示すように後面壁部６４の上端寄り位置には、上辺と平行な段差部６４Ａが形成され、段差部６４Ａより上方部分が前方にオフセットした放熱部６４Ｂになっている。放熱部６４Ｂの全体には、複数の放熱孔６４Ｘが形成されている。
【００５６】
後面壁部６４の下端寄り位置には、下辺と平行な屈曲部６４Ｃが形成されて、屈曲部６４Ｃより下方に向かうに従って後面壁部６４が前方へと傾斜している。また、後面壁部６４の下端部と囲壁６３Ａとがなす角部には、その角部の稜線に沿って複数の外気取入孔６４Ｙが形成されている。さらに、後面壁部６４の下端部の内面には、図７に示すように屈曲部６４Ｃを横切って上下方向に延びたリブ６４Ｄが、横方向に複数形成され、これらリブ６４Ｄが表示装置３０の後面に突き当てられている。
【００５７】
図６に示すように後面壁部６４のうち段差部６４Ａと屈曲部６４Ｃに挟まれたケース固定領域Ｒ２には、第２ケース保持壁６５（本発明に係る「ストッパ壁」及び「下端保持壁」に相当する）が後方に向かって突出形成されている。第２ケース保持壁６５は、ケース固定領域Ｒ２の下端寄り位置に配置され、第２ケース７０の下端部の形状に対応してクランク状に屈曲した下方支持壁６５Ａと、その下方支持壁６５Ａの左右の両端部から上方に延びた側方支持壁６５Ｂとからなる。この第２ケース保持壁６５は、上述するように第２ケース７０を位置決めすると共に後面壁部６４を補強する役割も果たす。
【００５８】
後面壁部６４には、第２ケース保持壁６５に対して図６における左側に１対のヒンジ構成突部６６，６６が上下に並べて設けられている。各ヒンジ構成突部６６は、角筒状をなして後面壁部６４から後方に突出し、先端部が方形壁６６Ａにて塞がれている。そして、ヒンジ構成突部６６のうち方形壁６６Ａとヒンジ構成突部６６の筒壁とがなす第２ケース保持壁６５側の角部に連結開口部６６Ｂが形成されている。
【００５９】
後面壁部６４のうち第２ケース保持壁６５を挟んでヒンジ構成突部６６と反対側には、１対の第３ケース位置決固定部６７，６７が上下に並べて設けられている。各第３ケース位置決固定部６７は、円錐筒状をなして後面壁部６４から後方に突出し、先端部が円形壁６７Ａにて塞がれている。また、その円形壁６７Ａの内面における中心からは内側に向かって円柱体６７Ｂ（図７参照）が突出し、その円柱体６７Ｂの芯部に芯孔６７Ｃ（図６参照）が形成されている。
【００６０】
後面壁部６４のうち第２ケース保持壁６５の上方には、複数の係合孔６８が貫通形成されている。各係合孔６８は、図７に示すように矩形部６８Ａ（本発明の「上側部分」に相当する）とその下方の絞部６８Ｂ（本発明の「下側部分」に相当する）とからなる。そして、絞部６８Ｂは、水平方向に延びた底辺と底辺の両端部から上方に延びた１対の垂直辺とを有し、矩形部６８Ａの下側両角部から絞部６８Ｂの１対の垂直辺における上端部との間が斜辺によって接続された形状になっている。そして、これら複数の係合孔６８は、ケース固定領域Ｒ２に非対称に配置されている。具体的には、係合孔６８の数は例えば、４つであり、それらが２つずつ上下に分けられ、上側と下側とで各ペアの係合孔６８が水平方向に並べられている。そして、図６に示すように上側の係合孔６８，６８が、下側の係合孔６８，６８より図６の右側にずらされかつ、上側の係合孔６８，６８同士の間隔より、下側の係合孔６８，６８同士の間隔が狭くなっている。
【００６１】
図７に示すように後面壁部６４の内面のうち上側の１対の係合孔６８，６８と下側の１対の係合孔６８，６８とに挟まれた部分には、横方向にリブ６４Ｌが延び、このリブ６４Ｌが第１ケース６０内の表示装置３０の後面に突き当てられている。
【００６２】
後面壁部６４のうち図６において係合孔６８群の左側位置と右上方位置とには、電線挿通窓６４Ｇが形成されている。後面壁部６４のうち電線挿通窓６４Ｇの開口縁の一部は、後面壁部６４に向かうに従って第１ケース６０の内側に斜めに陥没している。そして、これら電線挿通窓６４Ｇを通して第１ケース６０の内外に電線が挿通されている。
【００６３】
後面壁部６４のうち図６における左側部分には、複数の電線係止フック６４Ｆが形成されている。電線係止フック６４Ｆは、後面壁部６４から後方に突出した突部の先端から片持ち梁状に電線押さえ片を突出させ、さらに、その電線押さえ片の先端から後面壁部６４側に突起を突出させた構造をなし、電線が電線係止フック６４Ｆの電線押さえ片と後面壁部６４の後面との間に挟まれて保持される。
【００６４】
後面壁部６４のうち図６における右側上部には、スイッチ窓６４Ｈが形成され、この後面壁部６４を通して第１ケース６０内の表示装置３０の後面に備えたスイッチを操作することができる。
【００６５】
図６に示すように後面壁部６４のケース固定領域Ｒ２のうち係合孔６８群の上方には、係止爪６９が形成されている。そのために、後面壁部６４には門形スリット６９Ａが形成されている。門形スリット６９Ａは、上下方向に延びて互いに平行になった１対の側辺部６９Ｂ，６９Ｂと、それら側辺部６９Ｂ，６９Ｂの上端部間を接続する上辺部６９Ｃとからなる。そして、この門形スリット６９Ａによって、後面壁部６４の一部が片持ち梁状になって係止爪６９を構成している。図７に示すように、門形スリット６９Ａが後面壁部６４の中央部に寄りに配置されているので、門形スリット６９Ａが後面壁部６４の周縁部に配置された場合より、門形スリット６９Ａの周辺の後面壁部６４が撓みやすくなる。しかしながら、本実施形態では、後述する補強壁６９Ｈを設けて後面壁部６４を補強したので、門形スリット６４Ａの周辺の後面壁部６４が撓むのを防止可能な構成となっている。
【００６６】
図８に示すように係止爪６９の先端部には、係止突起６９Ｋが形成されている。係止突起６９Ｋは、係止爪６９の先端縁から下方に向かう従って徐々に後方に突出し、係止突起６９Ｋの下端部が係止爪６９から直立した係止面６９Ｌになっている。また、係止爪６９の先端部は後面壁部６４の後面より若干内側に位置し、係止突起６９Ｋの傾斜面６９Ｍの上端寄り位置から下端部までが後面壁部６４の後面より後方に突出している。さらに、図７に示すように係止爪６９のうち第１ケース６０の内側を向いた内面には、係止突起６９Ｋの外縁部を縁取りするように突条６９Ｐが形成され、係止突起６９Ｋ自体の強度アップが図られている。
【００６７】
後面壁部６４の内面には、門形スリット６９Ａの縁部に対応した門形形状をなす補強壁６９Ｈが設けられている。詳細には、補強壁６９Ｈは、門形スリット６９Ａの側辺部６９Ｂ，６９Ｂにおける上端部から下端寄り位置まで延びた脚部６９Ｄ，６９Ｄと、上辺部６９Ｃに沿って延び、脚部６９Ｄ，６９Ｄの上端部間を接続した天井部６９Ｅとから構成されている。そして、図１１に示すように補強壁６９Ｈは、第１ケース６０内の表示装置３０に突き合わされている。
【００６８】
門形スリット６９Ａを後面壁部６４の周縁部、即ち、後面壁部６４のうち囲壁６３Ａ寄りの位置から離れて設けた場合には、門形スリット６９Ａの周辺の後面壁部６４が撓みやすくなる。そして、後面壁部６４が撓むと、それに伴って係止爪６９が撓む虞があった。しかしながら、本実施例では、図７に示すように、門形スリット６９Ａを３方向から囲んだ門形状の補強壁６９Ｈを設けて門形スリット６９Ａの周辺の後面壁部６４を補強したので、門形スリット６９Ａの周辺の後面壁部６４が撓むのを防止することができる。しかも、補強壁６９Ｈを第１ケース６０内の表示装置３０に突き合わせているので、後面壁部６４の補強効果が高められており、後面壁部６４が撓むのをより確実に防止することができる。これにより、後面壁部６４が撓むのに伴って係止爪６９が撓むのを防止することができる。
【００６９】
図９に示した第２ケース７０は、本発明に係る「第２部材」及び「第２ケース」に相当し、前後方向に薄くなっており、内部に電気部品としての表示制御基板（図示せず）を収容している。そして、表示制御基板に実装されたスイッチ群やコネクタ等が、第２ケース７０の後面に貫通形成された複数の小窓７０Ｗを介して、第２ケース７０の外部に露出している。また、第２ケース７０の下端部には段付部７０Ｄが形成されて第２ケース７０の下面７０Ｋがクランク状に屈曲している。
【００７０】
第２ケース７０は、表示制御基板を内部に収容するために、第２ケース７０は、図１０に示すように、ケース本体７２と前面壁部７１（本発明に係る「前面壁部」に相当する）とに分解可能となっている。ケース本体７２は、前面が開口した容器構造をなし、その開口部分に板状の前面壁部７１が嵌められて螺子で固定されている。なお、前面壁部７１の上縁部及び下縁部における所定位置からは、ケース本体７２に向かって突片７１Ａ，７１Ａが突出しており、ケース本体７２の壁面に形成された凹部７２Ａ，７２Ａにこれら突片７１Ａ，７１Ａが嵌合されている。
【００７１】
図１０に示すように第２ケース７０の前面壁部７１には、第１ケース６０の係合孔６８群に対応して複数のフック７３（本発明に係る「突入係合部」及び「フック」に相当する）が形成されている。各フック７３は、前面壁部７１から前方に突出した突片７３Ａの先端から下方に係合片７３Ｂを垂下した構造をなしている。そして、これらフック７３群は、係合孔６８群と同様に上下の１対ずつに分けられて非対称に配置されている。そして、後に詳説するように、フック７３を第１ケース６０の係合孔６８に係合して第２ケース７０が第１ケース６０に取り付けられる。
【００７２】
図９に示した第３ケース７５は、本発明に係る「第３ケース」に相当し、前後方向に薄くなっており、内部に電気部品としての音声・ランプ制御基板（図示せず）を収容している。そして、音声・ランプ制御基板に実装されたスイッチ群やコネクタ等が、第３ケース７５の後面に貫通形成された複数の小窓７５Ｗを介して、第３ケース７５の外部に露出している。また、第３ケース７５も、音声・ランプ制御基板を内部に収容するために、ケース本体７５Ｈと前面壁部７５Ｚとに分解可能になっている。
【００７３】
図９において第３ケース７５の左側縁部からは、前方に向かって１対のヒンジ連結脚部７５Ａ，７５Ａが突出している。各ヒンジ連結脚部７５Ａの先端部は、側方に直角曲げされている。一方、図９において第３ケース７５の右側縁部からは、前方に向かって１対の固定脚部７５Ｂ，７５Ｂが突出している。各第３ケース７５の先端部には、側方に直角曲げされ、その直角曲げされた先端部の前面に円形凹部７５Ｃが陥没形成されている。そして、後に詳説するように、フック７３を第１ケース６０の係合孔６８に係合して第２ケース７０が第１ケース６０に取り付けられる。これらヒンジ連結脚部７５Ａ及び固定脚部７５Ｂを第１ケース６０のヒンジ構成突部６６及び第３ケース位置決固定部６７に連結又は螺子止めして第３ケース７５が第１ケース６０に固定されている。
【００７４】
なお、第１〜第４のケース６０，７０，７５，５１Ｂは、透明な樹脂で構成されており、電気部品をケースの外部から視認することができる。また、各電気部品が第１〜第４のケース６０，７０，７５，５１Ｂに収容されているので、電気部品に直接触れずに組み付け作業を行うことができる。
【００７５】
本実施形態に係るパチンコ遊技機１０の構成の説明は以上の通りである。次に、パチンコ遊技機１０の作用効果の説明を行う。パチンコ遊技機１０の製造工程において、第１〜第３のケース６０，７０，７５は、以下のようにして組み付けられる。
【００７６】
即ち、先ず、遊技板１１に第１ケース６０を固定してから、その第１ケース６０に第２ケース７０を組み付ける。そのためには、図１１に示すように第１ケース６０の後面壁部６４に複数形成された各係合孔６８の矩形部６８Ａ（図７参照）に、第２ケース７０の前面壁部７１に複数形成された各フック７３を対向させて、図１２に示すように第２ケース７０の前面壁部７１を第１ケース６０の後面壁部６４に押し付ける。すると、各フック７３が各係合孔６８内に挿入されて、フック７３の係合片７３Ｂが後面壁部６４の内面より内側に位置した状態になる。ここで、係合孔６８を非対称にして複数設けると共に、係合孔６８に対応してフック７３を非対称にして複数設けたので、第１ケース６０に対して第２ケース７０の向きを間違えて取り付けることが防がれる。また、フック７３が係合孔６８に挿入されて第２ケース７０の前面壁部７１が第１ケース６０の後面壁部６４に押し付けられると、図１２に示すように、第２ケース７０の前面壁部７１により係止爪６９の係止突起６９Ｋが押され、係止爪６９が第１ケース６０内に撓む。
【００７７】
次いで、第２ケース７０を第１ケース６０に対して下方に移動、即ち、スライドさせる。すると、フック７３の係合片７３Ｂが係合孔６８の縁部に係合し、さらに下方にスライドさせると、図１３に示すように、係合孔６８の絞部６８Ｂ（図７参照）側にフック７３の突片７３Ａが収まり、フック７３の係合片７３Ｂが係合孔６８の縁部（本発明の「開口縁」に相当する）に係合する。これにより、第２ケース７０が第１ケース６０に対して前後方向に離脱不能に保持される。また、この状態で、フック７３の突片７３Ａは、係合孔６８のうち幅狭になった絞部６８Ｂに収まり、第２ケース７０の横方向のガタが低減される。さらに、図５に示すように第２ケース７０の下端部では、第２ケース保持壁６５の下方支持壁６５Ａによって上下方向で位置決めされると共に、第２ケース保持壁６５の両側方支持壁６５Ｂ，６５Ｂによって左右方向に移動不能に保持される。
【００７８】
そして、図１３に示すように、第２ケース７０が第２ケース保持壁６５の下方支持壁６５Ａによって位置決めされた状態になると、第２ケース７０が係止爪６９の係止突起６９Ｋを通過し、係止突起６９Ｋの係止面６９Ｌがケース本体７２の上縁部を含む第２ケース７０の縁部、より正確には第２ケース７０の上面に係止する。これにより、第２ケース７０が上下方向で第２ケース保持壁６５の下方支持壁６５Ａと係止突起６９Ｋとによって挟まれ、第１ケース６０に固定される。
【００７９】
ここで、第２ケース７０を第１ケース６０から取り外すには、第２ケース７０の上方に位置した係止爪６９における係止突起６９Ｋを押圧して係止を解除し、前記した動作と逆の動作を行って第２ケース７０を第１ケース６０から離脱すればよい。また、このように係止爪６９を解除操作しない限り、本実施形態では係止爪６９を囲む補強壁６９Ｈ（図７参照）が後面壁部６４自体を補強すると共に、後面壁部６４と表示装置３０との間に補強壁６９Ｈが突っ張り状態になり得るので、係止爪６９を含む後面壁部６４全体が前面壁部７１から離れるように変形することが防がれる。
【００８０】
なお、図１２に示したように、第２ケース７０を第１ケース６０に対して前後方向に接離してフック７３を係合孔６８に挿抜可能な位置が、本発明に係る「係合可能範囲の始端位置」に相当する。また、図１３に示すように、フック７３の係合片７３Ｂと係合孔６８の縁部とを係合させることで第１ケース６０と第２ケース７０とがスライド係合し、そのスライド係合した状態で移動可能なストロークの下端位置が本発明に係る「係合可能範囲の終端位置」に相当する。第１ケース６０に設けた第２ケース保持壁６５及び係合孔６８と、第２ケース７０に設けたフック７３とで、本発明に係る「可動係合機構」を構成している。
【００８１】
次に、第３ケース７５を第１ケース６０に組み付けるには、以下のようである。即ち、図４に示すように第３ケース７５の各ヒンジ連結脚部７５Ａ，７５Ａにおける直角曲げされた先端部を第１ケース６０のヒンジ構成突部６６，６６における連結開口部６６Ｂ，６６Ｂに差し込んで第３ケース７５と第１ケース６０とを連結する。そして、その連結部分（本発明に係る「ヒンジ結合部」に相当する）を中心にして第３ケース７５を水平方向に回動し、各固定脚部７５Ｂ，７５Ｂの円形凹部７５Ｃ，７５Ｃに第１ケース６０における第３ケース位置決固定部６７，６７（図５参照）の先端部を嵌合し、螺子止めする。これにより、第３ケース７５が第２ケース７０を跨いだ状態になって第１ケース６０に固定される。また、第２ケース７０は、第１ケース６０と第３ケースとに挟まれて安定する。
【００８２】
このように本実施形態によれば、第１ケース６０の後面壁部６４に係止爪６９を形成するための門形スリット６９Ａの周囲から補強壁６９Ｈが突出したので、係止爪６９を含む後面壁部６４全体が前面壁部７１から離れるように変形することが防がれる。これにより、後面壁部６４の係止爪６９と第２ケース７０の縁部との係止状態が確実に保持され、第１ケース６０と第２ケース７０との取り付け状態が安定する。即ち、本実施形態の構成によれば着脱可能な部品同士（第１ケース６０と第２ケース７０）を取り付けた状態に安定して保持することができる。
【００８３】
なお、上記した第１ケース６０では、表示装置３０が発熱した場合に、その熱により第１ケース６０内の空気が上方に移動して第１ケース６０の上端部の放熱孔６４Ｘから排出され、これに伴って第１ケース６０の下端部の外気取入孔６４Ｙから第１ケース６０内に空気が流入する。これにより、第１ケース６０内に下方から上方に向かって流れる気流が生まれ、表示装置３０が効率よく冷却されるという効果を奏する。第２〜第４のケース７０，７５，５１Ｂにおいても、同様に、上下の両端部に放熱孔と外気取入孔とが形成されており、これにより各基板が効率よく冷却される。
【００８４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８５】
（１）前記実施形態では、パチンコ遊技機１０に本発明を適用していたが、遊技機であれば、アレンジボール、スロットマシン等に備えてもよい。
【００８６】
（２）前記実施形態では、係止爪６９を備えた第１ケース６０を遊技板１１に固定し、この第１ケース６０に第２ケース７０を取り付ける構成であったが、第２ケース７０を遊技板１１に固定し、この第２ケース７０に係止爪６９を備えた第１ケース６０を取り付ける構成としてもよい。
【００８７】
（３）前記実施形態では、補強壁６９Ｈを門形スリット６９Ａに対応した門形形状としていたが、補強壁６９Ｈを門形スリット６９Ａの一辺又は二辺に沿った形状としてもよいし、補強壁６９Ｈを門形スリット６９Ａの少なくとも一辺と交差するように延びた形状としてもよい。
【００８８】
（４）前記実施形態では、第２ケース７０をスライドさせて第１ケース６０に取り付ける構成であったが、第２ケース７０を回動させて第１ケース６０に取り付ける構成にしてもよい。
【図面の簡単な説明】
【００８９】
【図１】本発明の第１実施形態に係るパチンコ遊技機の正面図
【図２】パチンコ遊技機の分解斜視図
【図３】パチンコ遊技機の後面図
【図４】第３ケースを取り付けた状態の遊技板の後面図
【図５】第３ケースを取り外した状態の遊技板の後面図
【図６】第１ケースの分解斜視図
【図７】第１ケースのケース本体を前面側から見た斜視図
【図８】第１ケース及び第２ケースを後面側から見た斜視図
【図９】第２ケース及び第３ケースを後面側から見た斜視図
【図１０】第２ケースの分解斜視図
【図１１】第１ケースと第２ケースとの側断面図（組み付け前）
【図１２】第１ケースと第２ケースとの側断面図（始端位置）
【図１３】第１ケースと第２ケースとの側断面図（終端位置）
【図１４】従来の遊技機の部分拡大斜視図
【符号の説明】
【００９０】
１０    パチンコ遊技機（遊技機）
３０    表示装置（電気部品）
６０    第１ケース（第１部材）
６４    後面壁部（板状壁部）
６５    第２ケース保持壁（ストッパ壁、下端保持壁）
６８    係合孔
６８Ａ    矩形部（上側部分）
６８Ｂ    絞部（下側部分）
６９    係止爪
６９Ａ    門形スリット
６９Ｈ    補強壁
６９Ｋ    係止突起
７０    第２ケース（第２部材）
７１    前面壁部
７３    フック（突入係合部）
７３Ｂ    係合片
７５    第３ケース
７５Ａ    ヒンジ連結脚部（脚部）
７５Ｂ    固定脚部（脚部）
【図１】
2007167106.tif 000003
【図２】
2007167106.tif 000004
【図３】
2007167106.tif 000005
【図４】
2007167106.tif 000006
【図５】
2007167106.tif 000007
【図６】
2007167106.tif 000008
【図７】
2007167106.tif 000009
【図８】
2007167106.tif 000010
【図９】
2007167106.tif 000011
【図１０】
2007167106.tif 000012
【図１１】
2007167106.tif 000013
【図１２】
2007167106.tif 000014
【図１３】
2007167106.tif 000015
【図１４】
2007167106.tif 000016